(57)【特許請求の範囲】
【請求項１】
方形状の平板の表面に凹凸を形成して柄模様を形成してなる壁パネルであって、
凸部が四角形状に形成した隆起部にて前記平板の全域に井桁状に複数配設されており、
凹部が前記隆起部間に目地として配置されており、
壁パネルの対向する縦方向の２辺の縁に、それぞれ、幅広に形成した幅広目地と幅狭に形成した幅狭目地が形成されており、
壁パネルを横方向に隣合わせた際に、前記２辺の縁のうち一方の縁側に配置される目地と、前記２辺の縁のうち他方の縁側に配置される目地とが対向し、対向し合う一方が幅広目地であり、他方が幅狭目地であり、
幅広目地間に幅狭目地が位置しており、
壁パネルを横方向に隣合わせた際に、
一方の壁パネルの一方の縁部位の幅広目地と、他方の壁パネルの他方の縁部分の幅狭目地が対向する第一部位と、
一方の壁パネルの一方の縁部位の幅狭目地と、他方の壁パネルの他方の縁部分の幅広目地が対向する第二部位と、が形成され、
前記第一部位と前記第二部位において、それぞれ、前記縦方向において幅広目地の範囲内に幅狭目地があり、幅広目地と幅狭目地が連続して構成される目地ラインにて略水平な一直線状のラインが形成され、
前記第一部位と前記第二部位は、前記縦方向においてランダムに存在するように構成される、壁パネル。
【請求項２】
方形状の平板の表面に凹凸を形成して柄模様を形成してなる壁パネルを用いた壁面の施工方法であって、
前記壁パネルは、
凸部が四角形状に形成した隆起部にて前記平板の全域に井桁状に複数配設されており、
凹部が前記隆起部間に目地として配置されており、
壁パネルの対向する縦方向の２辺の縁に、それぞれ、幅広に形成した幅広目地と幅狭に形成した幅狭目地が形成されており、
壁パネルを横方向に隣合わせた際に、前記２辺の縁のうち一方の縁側に配置される目地と、前記２辺の縁のうち他方の縁側に配置される目地とが対向し、対向し合う一方が幅広目地であり、他方が幅狭目地であり、幅広目地間に幅狭目地が位置しており、
壁パネルを横方向に隣合わせ、
一方の壁パネルの一方の縁部位の幅広目地と、他方の壁パネルの他方の縁部分の幅狭目地が対向する第一部位と、
一方の壁パネルの一方の縁部位の幅狭目地と、他方の壁パネルの他方の縁部分の幅広目地が対向する第二部位と、を形成し、
前記第一部位と前記第二部位において、それぞれ、前記縦方向において幅広目地の範囲内に幅狭目地があり、幅広目地と幅狭目地が連続して構成される目地ラインにて略水平な一直線状のラインを形成させ、
前記第一部位と前記第二部位を前記縦方向においてランダムに存在させる、
壁パネルを用いた壁面の施工方法。
【発明の詳細な説明】
【技術分野】
【０００１】
本発明は、住宅などの建物の外装や内装の美観を向上させるための技術に関するものであり、より詳しくは、外装や内装の壁を構成する壁パネルの構造に関する。
【背景技術】
【０００２】
従来、住宅などの建物の外装（外壁）や内装（室内壁、通路壁など）において、板状（パネル状）の壁パネルを並設することで、外装や内装の壁を構成することが行われている。隣り合う壁パネルは接合され、外観において連続した一連の壁表面が形成される。
【０００３】
おもて面に凹凸を施すことでタイル調やレンガ調とするパネルも知られており、例えば、各タイルの間に縦横の目地が構成されるタイルパネル（例えば、特許文献１参照。）や、プレス成形によりレンガ調などの柄意匠を構成する窯業外壁材などが知られている。
【０００４】
特許文献１は、板状のパネル基材の表面に複数個のタイルを所定幅の目地を設けるように貼り詰める構成とするタイルパネルに関するものであり、隣り合うタイルパネルの目地ズレを目立ち難くする技術について開示している。具体的には、各タイルの角部に面取部を設けることで、隣り合うタイルパネルの目地ズレを目立たせないこととしている。
【先行技術文献】
【特許文献】
【０００５】
【特許文献１】特開２００２−３６４１５２号公報
【発明の概要】
【発明が解決しようとする課題】
【０００６】
例えば、左右に隣り合う壁パネルにおいて、図７（Ａ）に示すように、本来は左側の壁パネル９０Ａの横目地９１ａと右側の壁パネル９０Ｂの横目地９１ｂに上下方向のズレが無く、目地ズレが生じないことが望ましい。左右の横目地９１ａ，９１ｂが一直線状のライン９２を構成し、美観も良好となるためである。
【０００７】
他方、図７（Ｂ）に示すように、左側の壁パネル９０Ａの横目地９１ａと右側の壁パネル９０Ｂの横目地９１ｂに上下方向のズレが生じると、目地ズレ９３が生じることになる。このように目地ズレ９３が生じると、左右の横目地９１ａ，９１ｂが階段状（クランク状）のライン９４を構成してしまい、施工不良や、壁パネルの製造不良となってしまうことが懸念される。なお、例えば、横目地９１ａ，９１ｂの目地幅９１ｗが２ｍｍの場合において、目地ズレ９３の幅が２．５ｍｍを超えると目地ズレが目立ちやすい状況が生じることになる。
【０００８】
特に、階段状のライン９４が上下方向に連続して並んでしまうと、視覚的に目地ズレに方向性がある印象を与える、つまりは、右側の壁パネル９０Ｂが全体的に上側にズレている、という印象を与えてしまうことが懸念される。このような場合には、たとえ目地ズレ９３の量が微小であっても、視覚的に大きなズレが生じている印象を与えることになる可能性があり、美観上大きな問題となることが懸念される。
【０００９】
また、図７（Ｃ）に示すように、目地ズレを吸収するために横目地９１ａ，９１ｂの幅を広く構成することにより、左右の横目地９１ａ，９１ｂを通過する一直線状のライン９２を構成することも考えられる。
【００１０】
しかしながら、壁パネル９０Ａ，９０Ｂのおもて面の意匠について、横目地９１ａ，９１ｂの幅を広くしなければならないというデザイン上の制約が生じ、また、凸面９５の稜線９５ａが際立つようになり、この稜線９５ａによって階段状のライン９６が形成されて、やはり、視覚的に目地ズレに方向性がある印象を与えてしまうことが懸念される。
【００１１】
他方、上述した特許文献１に開示される技術によれば、目地ズレが目立たなくなるとされるものであるが、面取部を設ける必要があり、面取部の無いシャープな印象を与えるタイル調やレンガ調の凹凸模様を形成する壁パネルについては、技術を適用することが困難である。また、上述の視覚的に目地ズレに方向性がある印象を与えてしまう問題の解決策とはならない。
【００１２】
そこで、本発明は、以上の問題に鑑み、隣り合う壁パネルの目地ズレに関し、目地ズレを目立たなくするための新規な技術を提案する。
【課題を解決するための手段】
【００１３】
本発明の解決しようとする課題は以上の如くであり、次にこの課題を解決するための手段を説明する。
【００１４】
即ち、請求項１に記載のごとく、
方形状の平板の表面に凹凸を形成して柄模様を形成してなる壁パネルであって、
凸部が四角形状に形成した隆起部にて前記平板の全域に井桁状に複数配設されており、
凹部が前記隆起部間に目地として配置されており、
壁パネルの対向する縦方向の２辺の縁に、それぞれ、幅広に形成した幅広目地と幅狭に形成した幅狭目地が形成されており、
壁パネルを横方向に隣合わせた際に、前記２辺の縁のうち一方の縁側に配置される目地と、前記２辺の縁のうち他方の縁側に配置される目地とが対向し、対向し合う一方が幅広目地であり、他方が幅狭目地であり、
幅広目地間に幅狭目地が位置しており、
壁パネルを横方向に隣合わせた際に、
一方の壁パネルの一方の縁部位の幅広目地と、他方の壁パネルの他方の縁部分の幅狭目地が対向する第一部位と、
一方の壁パネルの一方の縁部位の幅狭目地と、他方の壁パネルの他方の縁部分の幅広目地が対向する第二部位と、が形成され、
前記第一部位と前記第二部位において、それぞれ、前記縦方向において幅広目地の範囲内に幅狭目地があり、幅広目地と幅狭目地が連続して構成される目地ラインにて略水平な一直線状のラインが形成され、
前記第一部位と前記第二部位は、前記縦方向においてランダムに存在するように構成される、壁パネルとする。
【００１５】
また、請求項２に記載のごとく、
方形状の平板の表面に凹凸を形成して柄模様を形成してなる壁パネルを用いた壁面の施工方法であって、
前記壁パネルは、
凸部が四角形状に形成した隆起部にて前記平板の全域に井桁状に複数配設されており、
凹部が前記隆起部間に目地として配置されており、
壁パネルの対向する縦方向の２辺の縁に、それぞれ、幅広に形成した幅広目地と幅狭に形成した幅狭目地が形成されており、
壁パネルを横方向に隣合わせた際に、前記２辺の縁のうち一方の縁側に配置される目地と、前記２辺の縁のうち他方の縁側に配置される目地とが対向し、対向し合う一方が幅広目地であり、他方が幅狭目地であり、幅広目地間に幅狭目地が位置しており、
壁パネルを横方向に隣合わせ、
一方の壁パネルの一方の縁部位の幅広目地と、他方の壁パネルの他方の縁部分の幅狭目地が対向する第一部位と、
一方の壁パネルの一方の縁部位の幅狭目地と、他方の壁パネルの他方の縁部分の幅広目地が対向する第二部位と、を形成し、
前記第一部位と前記第二部位において、それぞれ、前記縦方向において幅広目地の範囲内に幅狭目地があり、幅広目地と幅狭目地が連続して構成される目地ラインにて略水平な一直線状のラインを形成させ、
前記第一部位と前記第二部位を前記縦方向においてランダムに存在させる、
壁パネルを用いた壁面の施工方法とする。
【発明の効果】
【００２０】
本発明によれば、幅広目地と幅狭目地により、目地ズレを目立たせなくする対応が可能となる。
【図面の簡単な説明】
【００２１】
【図１】本発明の特徴的な目地の構成について説明する図である。
【図２】壁パネルの構成について説明する図である。
【図３】目地の幅の設定について説明する図である。
【図４】（Ａ）は第一部位と第二部位を交互に配置する構成について説明する図である。（Ｂ）は第一部位と第二部位をランダムに配置する構成について説明する図である。
【図５】（Ａ）は実施例１における目地ズレが生じていない場合について説明する図である。（Ｂ）右側の壁パネルが上側にずれて目地ズレが生じた場合について説明する図である。（Ｃ）右側の壁パネルが下側にずれて目地ズレが生じた場合について説明する図である。
【図６】（Ａ）は実施例２における目地ズレが生じていない場合について説明する図である。（Ｂ）上側の壁パネルが左側にずれて目地ズレが生じた場合について説明する図である。（Ｃ）上側の壁パネルが右側にずれて目地ズレが生じた場合について説明する図である。
【図７】（Ａ）は目地ズレが生じない理想的な施工状態について説明する図である。（Ｂ）は目地ズレにより階段状のラインが構成される例について説明する図である。（Ｃ）は目地幅を広く構成する例について説明する図である。
【発明を実施するための形態】
【００２２】
次に、発明の実施の形態について図面を用いて説明する。
図１は、本発明の特徴的な構成について説明するものであり、
壁パネル１Ａ，１Ｂを隣り合わせた際の境界部ＫＶにおいて、互いに対向して連続する目地ライン２０Ｈを形成するための横目地１１ａ，１１ｂ（目地）ついて、
一方の壁パネル１Ａの横目地１１ａの幅Ｗａが他方の壁パネル１Ｂの横目地１１ｂの幅Ｗｂよりも広く構成される第一部位３１と、
一方の壁パネル１Ａの横目地１１ａの幅Ｗａが他方の壁パネル１Ｂの横目地１１ｂの幅Ｗｂよりも狭く構成される第二部位３２と、
を形成するように壁パネル１Ａ，１Ｂが構成されることとしている。
【００２３】
これにより、一方の壁パネル１Ａの横目地１１ａと、他方の壁パネル１Ｂの横目地１１ｂを跨いで連続する目地ライン２０Ｈが一直線状（横目地の場合には略水平、縦目地の場合には略垂直）に構成され、目地ズレを目立ち難くすることが可能となる。また、すべての横目地１１ａ，１１ｂの幅を一律に広くするのではないため、壁パネル１Ａ，１Ｂのおもて面の意匠について、目地の幅の制約が少なくなり、デザイン上の制約も抑えることが可能となる。
【００２４】
以下、実施形態について説明すると、図１では複数の壁パネル１Ａ〜１Ｄを並設させた状態を示しており、本発明において特徴的構成が拡大して示されている。壁パネル１Ａ，１Ｂが横方向に隣り合い、また、壁パネル１Ｃ，１Ｄが横方向に隣り合っており、横方向に隣り合う壁パネルの間には、縦方向の接合部目地５０Ｖが形成される。接合部目地５０Ｖは、目地材を充填することなどによって塞ぐこととしてもよい。
【００２５】
同様に、壁パネル１Ａ，１Ｃが上下方向に隣り合い、また、壁パネル１Ｂ，１Ｄが上下方向に隣り合っており、縦方向に隣り合う壁パネルの間には、横方向の接合部目地５０Ｈが形成される。接合部目地５０Ｈは、目地材を充填することなどによって塞ぐこととしてもよい。
【００２６】
各壁パネル１Ａ〜１Ｄは、住宅などの建物の外装（外壁）や内装（室内壁、通路壁など）を構成するために用いられるものであり、例えば、プレス成形によりレンガ調などの柄意匠を構成する窯業壁材や、板状基材にタイルなどの部材を配置してなるタイルパネルなどが考えられ、図１に示すように、各凸面１５，１５の間に溝状の横目地１１ａ，１１ｂや、縦目地１２ｘ，１２ｙが形成される。
【００２７】
図２に示すように、窯業壁材の壁パネル１Ａを構成する場合には、そのおもて面２にプレス成形によって凹凸を施すことにより規定のパターン（柄意匠）３を容易に形成することができ、図１に示す壁パネル１Ａ〜１Ｄのおもて面２には同一のパターン（柄意匠）が形成されることになる。つまり、壁パネル１Ａ〜１Ｄが同一のものとして構成されることになる。
【００２８】
図２の壁パネル１Ａは、長方形の板状に構成されており、その縁を構成する四辺を便宜上、上縁５Ａ、下縁６Ａ、右縁７Ａ、左縁８Ａとして図示している。そして、壁パネル１Ａの縁のうち、対向する右縁７Ａと左縁８Ａからなる一組の縁において、一方の右縁７Ａの縁部位７ａに形成される横目地１１ａ（幅広目地）の幅が、他方の左縁８Ａの縁部位８ａに形成される横目地１１ｂ（幅狭目地）の幅よりも広い第一部位３１と、一方の右縁７Ａの縁部位７ａに形成される横目地１１ａ（幅狭目地）の幅が、他方の左縁８Ａの縁部位８ａに形成される横目地１１ｂ（幅広目地）の幅よりも狭い第二部位３２が構成されるようになっている。
【００２９】
これにより、図１の拡大部分に示すように、第一部位３１においては、横目地１１ａの幅Ｗａが、横目地１１ｂの幅Ｗｂよりも広い関係となり、第二部位３２においては、横目地１１ａの幅Ｗａが、横目地１１ｂの幅Ｗｂよりも狭い関係を実現することができる。
【００３０】
また、この第一部位３１と第二部位３２を構成するにあたり、横目地１１ａ，１１ｂの各幅Ｗａ，Ｗｂは、想定される目地ズレのズレ量４０に基づいて設定されることが好ましい。具体的には、例えば、図３に示す第一部位３１の例のように、横目地１１ａの上下中心線１１ｍと横目地１１ｂの上下中心線１１ｎの間のズレ量４０が最大となった場合であっても、上下幅の広い横目地１１ａ内に上下幅の狭い横目地１１ｂが収められ、横目地１１ａ，１１ｂを連続して構成される目地ライン２０Ｈが、略水平な一直線状のラインを構成できる設定とすることが考えられる。
【００３１】
換言すれば、左右に隣り合う凸面１５ａ，１５ｂにおいて、広い横目地１１ａを構成する凸面１５ａの下側稜線１５ｕが、狭い横目地１１ｂを構成する凸面１５ｂの下側稜線１５ｖよりも上側に配置される設定となる。
【００３２】
このように、目地ライン２０Ｈが略水平な一直線状のラインを構成するようにすることで、階段状（クランク状）のラインが構成されることがなく、視覚的に目地ズレに方向性がある印象を与え難くすることが可能となる。
【００３３】
なお、横目地１１ａ，１１ｂの各幅Ｗａ，Ｗｂの設定については、均一な表面積を有する凸面１５（図１参照）の配置によって設定するほか、適宜、異なる表面積を有する凸面１５を配置することによって設定することが考えられる。なお、凸面１５の形状は、長方形とするほか、正方形、台形とすることなどが考えられる。
【００３４】
また、図２の例では、二枚の壁パネルを横方向に隣り合わせた際に、上下方向において同じ位置にある右縁７Ａの縁部位７ａの横目地１１ａの目地幅と、左縁８Ａの縁部位８ａの横目地１１ｂの目地幅が、全て一致するように設計されたものではなく、単純に均一の目地幅を有するように壁パネルに凹凸を形成するものとは異なるものとなる。
【００３５】
また、図２の壁パネル１Ａの左右方向において、右縁７Ａの縁部位７ａと、左縁８Ａの縁部位８ａの間の内側部位６０においても同様に、左右に隣り合う横目地１１ｖ，１１ｗにおいては、横目地１１ｖの幅Ｗｖが横目地１１ｗの幅Ｗｗよりも広い第一部位３１Ｈと、横目地１１ｖの幅Ｗｖが横目地１１ｗの幅Ｗｗよりも狭い第二部位３２Ｈが構成されることが好ましい。
【００３６】
これにより、内側部位６０においても、左右に隣り合う壁パネル１Ａ，１Ｂ（図１参照）の境界部ＫＶと同様の構成が実現されることになり、境界部ＫＶの存在をより目立ち難くすることが可能となる。
【００３７】
さらに、図４（Ａ）に示すように、上下方向において第一部位３１と第二部位３２を交互に配置するほか、図４（Ｂ）に示すように、上下方向において第一部位３１と第二部位３２がランダムに構成されることとしてもよい。図４（Ｂ）の形態によれば、図４（Ａ）の形態のように、横目地１１ａ，１１ｂの広い、狭いが交互に規則的に配置される場合と比較して、その規則性によって生じる視覚的なズレの方向性がぼやかされる、つまりは、規則性によって生じる視線の集中が生じずに焦点を定まり難くすることが可能となる。
【００３８】
これにより、図４（Ｂ）の形態によれば、仮に目地ズレが生じた場合であっても、図４（Ａ）の場合と比較して、より目地ズレを目立ち難くすることが可能となる。
【００３９】
なお、第一部位３１と第二部位３２のランダムな構成は特に限定されるものではないが、例えば、一枚の壁パネルに存在する第一部位３１と第二部位３２の数を一致させることにより、デザイン状のバランスを確保することなどが考えられる。また、図４（Ｂ）の形態は、後述する縦目地についての第一部位４１（図１参照）、第二部位４２（図１参照）の配置についても同様である。
【００４０】
さらに、上述したように、図１及び図２に示されるように、壁パネル１Ａの縁のうち、対向する右縁７Ａと左縁８Ａからなる一組の縁の構成において、第一部位３１と第二部位３２を構成し、横目地１１ａ，１１ｂの上下方向の目地ズレを目立たせなくすることに加え、壁パネル１Ａの縁のうち、対向する上縁５Ａと下縁６Ａからなる一組の縁においても同様に、第一部位３１と第二部位３２と同様の第一部位４１と第二部位４２を構成することとしてもよい。
【００４１】
これにより、上下に隣り合う壁パネル１Ｂ，１Ｄ同士の関係においても、縦目地１２ｘ，１２ｙを連続して構成される目地ライン２０Ｖが、略垂直な一直線状のラインを構成することが可能となる。なお、図２に示す壁パネル１Ａの上下方向の内側部位６０においても同様に、縦目地１２ｖと縦目地１２ｗの関係において、上下に隣り合う壁パネル１Ｂ，１Ｄ（図１参照）の境界部ＫＨと同様の第一部位４１Ｖ、第二部位４２Ｖ構成を実現することが好ましい。
【００４２】
以上に説明したように、本実施形態では、図１に示されるように、壁パネル１Ａ，１Ｂを隣り合わせた際の境界部ＫＶにおいて、互いに対向して連続する目地ライン２０Ｈを形成するための横目地１１ａ，１１ｂついて、一方の壁パネル１Ａの横目地１１ａの幅Ｗａが他方の壁パネル１Ｂの横目地１１ｂの幅Ｗｂよりも広く構成される第一部位３１と、一方の壁パネル１Ａの横目地１１ａの幅Ｗａが他方の壁パネル１Ｂの横目地１１ｂの幅Ｗｂよりも狭く構成される第二部位３２と、を形成するように壁パネルが構成されることとしている。
【００４３】
また、同様に、壁パネル１Ｂ，１Ｄを隣り合わせた際の境界部ＫＨにおいて、互いに対向して連続する目地ライン２０Ｖを形成するための縦目地１２ｘ，１２ｙついて、一方の壁パネル１Ｂの縦目地１２ｘの幅Ｗｘが他方の壁パネル１Ｄの縦目地１２ｙの幅Ｗｙよりも広く構成される第一部位４１と、一方の壁パネル１Ｂの縦目地１２ｘの幅Ｗｘが他方の壁パネル１Ｂの縦目地１２ｙの幅Ｗｙよりも狭く構成される第二部位４２と、を形成するように壁パネルが構成されることとしている。
【００４４】
以上のようにして、隣り合う壁パネルを跨いで連続する目地ライン２０Ｈ，２０Ｖが一直線状（横目地の場合には略水平、縦目地の場合には略垂直）に構成され、目地ズレを目立ち難くすることが可能となる。また、すべての目地の幅を一律に広くするのではないため、壁パネルのおもて面の意匠について、目地の幅の制約が少なくなり、デザイン上の制約も抑えることが可能となる。
【００４５】
また、横方向に隣り合う壁パネル１Ａ，１Ｂ同士の関係と、縦方向に隣り合う壁パネル１Ｂ，１Ｄ同士の関係において、いずれか一方の関係、或いは、両方の関係において、それぞれ、第一部位３１、第二部位３２、第一部位４１、第二部位４２が形成される、こととすることができる。
【００４６】
本実施形態では、横方向と縦方向の両方の関係において、それぞれ、第一部位３１、第二部位３２、第一部位４１、第二部位４２が形成されることとし、縦横方向における目地ズレを目立たなくすることとしたが、例えば、横方向に隣り合う壁パネル１Ａ，１Ｂ同士の関係においてのみ、第一部位３１、第二部位３２を構成し、縦方向における目地ズレのみを目立たせなくすることとしてもよい。
【００４７】
さらに、図２に示すように、壁パネルを隣り合わせた際の境界部ＫＶ，ＫＨ（図１参照）よりも内側の部位（内側部位６０）においても、第一部位３１Ｈ、第二部位３２Ｈ、第一部位４１Ｈ、第二部位４２Ｈが構成されることが好ましい。
【００４８】
これにより、内側の部位においても、隣り合う壁パネルの境界部ＫＶ，ＫＨと同様の構成が実現されることになり、境界部ＫＶ，ＫＨの存在をより目立ち難くすることが可能となる。
【００４９】
また、図４（Ｂ）に示すように、上下方向において第一部位３１と第二部位３２が、（或いは、左右方向において第一部位４１（図１参照）と第二部位４２（図１参照）が、）ランダムに構成されることとしてもよい。
【００５０】
これによれば、図４（Ａ）の形態のように、第一部位３１と第二部位３２が交互に規則的に配置される場合と比較して、その規則性によって生じる視覚的なズレの方向性がぼやかされる、つまりは、規則性によって生じる視線の集中が生じずに焦点を定まり難くすることが可能となり、より目地ズレを目立ち難くすることが可能となる。
【００５１】
そして、本発明の構成による壁パネル１Ａを用いた施工方法を実施することによれば、施工後において目地ズレが目立たなくなり、美観に優れた外観を構成することが可能となる。
【００５２】
また、図２に示されるような壁パネル１Ａを用いてそのまま施工するほか、施工現場において、壁パネル１Ａを所定の幅にカット（切断）して使用することも想定される。このような場合にも、カットされた部位の境界部ＫＶ，ＫＨにおいて、第一部位３１Ｈ、第二部位３２Ｈ、第一部位４１Ｈ、第二部位４２Ｈの構成が実現されるように施工することによれば、切断された部位における目地ズレを目立ち難くすることができる。
【００５３】
つまり、壁パネル１Ａを所定の寸法にカットする際に、カットされて新たに形成される縁部位を含んで構成される境界部ＫＶ，ＫＨにおいて、第一部位３１Ｈ、第二部位３２Ｈ、第一部位４１Ｈ、第二部位４２Ｈの構成が実現されるようにカットする、施工方法とするものである。
【００５４】
このように、本発明の構成によれば、施工現場において寸法調整の必要が生じた場合についても、目地ズレを目立たせなくする対応が可能となる。
【００５５】
以上の実施形態からわかるように、本発明では以下の点を特徴とする。
即ち、方形状の平板の表面に凹凸を形成して柄模様を形成してなる壁パネル１Ａであって、
凸部は四角形状に形成した隆起部を平板の全域に井桁状に複数配設し、
凹部は隆起部間の目地であって、
平板の少なくとも一辺端部の目地幅は幅広に形成した幅広目地と幅狭に形成した幅狭目地で形成してなることを特徴とする壁パネル１Ａとする。
【００５６】
また、壁パネルの対向する２辺に幅広目地１１ａと幅狭目地１１ｂを形成してなる。
【００５７】
また、一端の目地と対向する他端の目地は一方が幅広目地１１ａで他方が幅狭目地１１ｂに形成し、
隣合わせた際または回転させた際に幅広目地間に幅狭目地が位置するように形成してなる。
なお、「回転」とは、壁パネルの裏面、おもて面の関係を保ったまま壁パネルの角度を１８０度変更させるものであり、例えば、１枚の壁パネルにおいて、左右の関係、上下の関係を逆にすることを意味するものである。
【００５８】
また、端部の目地の他、面内に位置する目地間を幅広目地と幅狭目地で形成した。
【００５９】
また、壁パネルを窯業材で形成した。
【００６０】
また、方形状の平板の表面に凹凸を形成して柄模様を形成してなる壁パネルを用いた壁面の施工方法であって、
凸部は四角形状に形成した隆起部を平板の全域に井桁状に複数配設し、
凹部は隆起部間の目地であって、
平板の少なくとも一辺端部の目地幅は幅広に形成した幅広目地と幅狭に形成した幅狭目地で形成し、
壁パネルを窯業材で形成し、
壁パネルの対向する２辺に幅広目地と幅狭目地を形成し、
一端の目地と対向する他端の目地は一方が幅広目地で他方が幅狭目地に形成し、
隣合わせた際または回転させた際に幅広目地間に幅狭目地が位置するように形成してなる、
ことを特徴とする壁パネルの施工方法とした。
【実施例１】
【００６１】
図５は、左右に隣り合う壁パネル１Ａ，１Ｂの上下方向のズレが生じた場合を想定した例について示している。
【００６２】
図５（Ａ）に示すように、横目地１１ａを目地幅１ｍｍの幅細目地とし、横目地１１ａに隣り合わせる横目地１１ｂを目地幅６ｍｍの幅広目地とする。なお、壁パネル１Ａ，１Ｂは、図２に示すように横長長方形状であり、横幅１８２０ｍｍ、縦幅４６６ｍｍとされる。また、凸面１５の寸法は、横幅２２７ｍｍ、縦幅３０ｍｍとされる（図５においては縮尺を無視した表現としている）。
【００６３】
そして、図５（Ｂ）に示すように、右側の壁パネル１Ｂが上側に２．５ｍｍずれた状況となっても、一直線状の目地ライン２０Ｈが形成されるため、目地ズレが目立ち難いこととなる。
【００６４】
また、図５（Ｃ）に示すように、右側の壁パネル１Ｂが下側に２．５ｍｍずれた状況となっても、一直線状の目地ライン２０Ｈが形成されるため、目地ズレが目立ち難いこととなる。
【実施例２】
【００６５】
図６は、上下に隣り合う壁パネル１Ｂ，１Ｄの左右方向のズレが生じた場合を想定した例について示している。
【００６６】
図６（Ａ）に示すように、縦目地１２ａを目地幅１ｍｍの幅細目地とし、縦目地１２ａに隣り合わせる縦目地１２ｂを目地幅６ｍｍの幅広目地とする。なお、壁パネル１Ｂ，１Ｄは、図２に示すように縦長長方形状であり、縦幅１８２０ｍｍ、縦幅４６６ｍｍとされる。また、凸面１５の寸法は、縦幅２２７ｍｍ、縦幅３０ｍｍとされる（図５においては縮尺を無視した表現としている）。
【００６７】
そして、図６（Ｂ）に示すように、上側の壁パネル１Ｄが左側に２．５ｍｍずれた状況となっても、一直線状の目地ライン２０Ｖが形成されるため、目地ズレが目立ち難いこととなる。
【００６８】
また、図６（Ｃ）に示すように、上側の壁パネル１Ｄが右側に２．５ｍｍずれた状況となっても、一直線状の目地ライン２０Ｖが形成されるため、目地ズレが目立ち難いこととなる。
【産業上の利用可能性】
【００６９】
本発明は、住宅などの建物の外装（外壁）や内装（室内壁、通路壁など）を形成するための壁パネルの目地ズレを目立たなくする手段として、幅広く適用可能である。
【符号の説明】
【００７０】
１Ａ    壁パネル
１Ｂ    壁パネル
５Ａ    上縁
６Ａ    下縁
７Ａ    右縁
７ａ    縁部位
８Ａ    左縁
８ａ    縁部位
１１ａ    横目地
１１ｂ    横目地
１２ａ    縦目地
１２ｂ    縦目地
１５    凸面
２０Ｈ    目地ライン
２０Ｖ    目地ライン
３１    第一部位
３２    第二部位
４０    ズレ量
５０Ｈ    接合部目地
５０Ｖ    接合部目地
６０    内側部位
ＫＨ    境界部
ＫＶ    境界部
Ｗａ    幅
Ｗｂ    幅
【図１】
0006025340.tif 000002
【図２】
0006025340.tif 000003
【図３】
0006025340.tif 000004
【図４】
0006025340.tif 000005
【図５】
0006025340.tif 000006
【図６】
0006025340.tif 000007
【図７】
0006025340.tif 000008